(57)【要約】      （修正有）【課題】養液を補給しなくても、植物の種子や球根などの水耕栽培の対象物が養液に浸かったまま保たれる水耕栽培用具を提供する。【解決手段】水耕栽培用具１００は、養液に浮かぶ浮力体１０からなり、浮力体には、環状の中空チューブや中実部材を使用する。浮力体の孔部２０に、水耕栽培の対象物を受け止める対象物受部を設けてもよい。浮力体は、串状の軸体を突き刺し可能な中実部材によって形成することが可能である。【選択図】図１
0003224252.tif 000002
【実用新案登録請求の範囲】
【請求項１】
容器に養液を貯留して行う植物の種子や球根などの対象物の水耕栽培に用いられる水耕栽培用具であって、
上記対象物を位置させるための孔部を備えた養液に浮かぶ浮力体でなる水耕栽培用具。
【請求項２】
浮力体の上記孔部に、この孔部に挿入された対象物を受け止める対象物受部が設けられている請求項１に記載した水耕栽培用具。
【請求項３】
上記対象物受部が、浮力体の上記孔部に一体に内向き突出状に装備されて切断加工が可能な突片でなる請求項２に記載した水耕栽培用具。
【請求項４】
上記対象物受部が、上記対象物を保持する保持部材を載置可能な内鍔状の段付部によって形成されている請求項２に記載した水耕栽培用具。
【請求項５】
上記浮力体が２枚の環状の樹脂シートの内外の周縁に備わっている耳縁同士を熱溶着して形成されている環状の中空チューブでなる請求項１ないし請求項４のいずれか１項に記載した水耕栽培用具。
【請求項６】
上記浮力体が、串状の軸体を突き刺し可能な中実部材でなる請求項１ないし請求項４のいずれか１項に記載した水耕栽培用具。
【考案の詳細な説明】
【技術分野】
【０００１】
本考案は、水耕栽培用具、特に、ベランダでの水耕栽培で家庭菜園を楽しんだり、室内で観葉植物の１種として植物を水耕栽培で育成したりするのに有益な水耕栽培用具に関する。
【背景技術】
【０００２】
アボカドやライチといった植物を、それらの丸くて大きな種子から観葉植物の１種として水耕栽培で育成するときには、実を食べたあとに残った種子を水のような養液の入った容器に浸けておくと、種子から芽や根が出て次第に葉っぱが延び出して苗に成長する。このような水耕栽培を家庭のキッチンの窓辺やベランダで楽しむときには、容器にガラスや陶器のコップが使用され、養液には水が使用されることが多かった。
【０００３】
次に、家庭で多く行われている従来例としての第１及び第２の２つの事例による水耕栽培の方法や水耕栽培に用いる水耕栽培用具を説明する。
【０００４】
図１２は第１の従来例による初期状態での水耕栽培用具の使用状態を説明的に示した縦断正面図である。この事例では、容器１としてガラスコップが使用され、養液２として水が使用されている。そして、アボガドのような丸くて大きな植物の種子でなる水耕栽培の対象物３に突き刺した爪楊枝のような複数本（たとえば３本）の串状の軸体４を対象物３の周囲に突き出させた後、それらの軸体４を容器１の口縁部に乗せ掛けることによって対象物３を養液２に浸けている。したがって、この第１の従来例において、養液２の適切な水位は、図１０に仮想線で示したように対象３が浸かる程度の水位である。
【０００５】
図１３は第２の従来例による初期状態での水耕栽培用具の使用状態を説明的に示した縦断正面図、図１４は第２の従来例による植物５が成育した状態での水耕栽培用具の使用状態を説明的に示した縦断正面図である。この事例では、容器１として絞り形状の首部１ａを有するガラスポットが使用され、養液２として水が使用されている。そして、丸くて大きな植物の種子でなる栽培の対象物３を容器１の首部１ａに載置することによって対象物３を養液２に浸けている。図１３の初期状態から図１４のように植物５が成育して根６や葉っぱ７が伸びてくれば、それらの伸びに合わせて少しずつ養液２の量を減らすことも許容されるけれども、一般的には、対象物３が養液２に浸かっていることが望ましい。したがって、この第２の従来例においても、養液２の適切な水位は、図１３及び図１４に仮想線で示したように対象物３が浸かる程度の水位である。
【０００６】
一方、先行例では、貯水槽の水を吸水紐によって吸い上げた水を、植物を置いた育成槽に補給するようにしたペットボトル水耕栽培法が提案されている（たとえば特許文献１参照）。また、他の先行例には、液肥ボトルのボトル口を下向きにして水槽に臨ませておくことにより、水槽内の液肥レベルが常に一定になるように液肥ボトルから液肥を補給するようにした水耕栽培装置が提案されている（たとえば特許文献２参照）。
【先行技術文献】
【特許文献】
【０００７】
【特許文献１】特開２００１−３２０９７０号公報
【特許文献２】実用新案登録第３１５３３４０号公報
【考案の概要】
【考案が解決しようとする課題】
【０００８】
図１３及び図１４の第２従来例では、対象物３から伸び出た根６がある程度の長さになるまでは、対象物３や根６が養液２に浸かったままになっていることが好ましいけれども、図１４のように対象物３の根６が長く伸び出してくれば、上記したように根６の伸びに合わせて少しずつ養液２の量を減らすことも許容される。しかし、養液２の量が減ることにより水位が下がり過ぎ、養液２に浸かっていない対象物３がそのまま長時間放置されたり、根６が養液２の上に露出し過ぎたりすると、容器１に多くの養液２が残っているにもかかわらず対象物３や植物５が弱りやすくなるという問題がある。このような問題は、旅行などで世話ができないような場合に、養液２の水位管理が数日間もできずに放置されたりするときに生じやすい。
【０００９】
この点に関し、先行例である特許文献１のペットボトル水耕栽培法では、貯水槽の水が空になると吸水紐による育成槽への水の補給ができなくなる。他の先行例である特許文献２の水耕栽培装置でも、液肥ボトルの液肥が空になると、液肥ボトルから水槽へ液肥が補給されなくなる。したがって、これらの特許文献１又は特許文献２によって提案されているものによっては、旅行などで世話ができなときに起こり得るような養液の水位が下がり過ぎることによる上記の問題点を改善することはできない。
【００１０】
本考案は、以上の状況に鑑みてなされたものであり、旅行などで世話ができないようなときに、養液を補給しなくても植物の種子や球根などの水耕栽培の対象物が養液に浸かったまま保たれるようになり、容器に多くの養液が残っているにもかかわらず対象物が養液に浸かっていないという状況が生じなくなる水耕栽培用具を提供することを目的としている。
【００１１】
また、本考案は、アボカドやライチといった植物を、家庭のキッチンの窓辺やベランダで、観葉植物の１種として水耕栽培で手軽に育成するときに便利に使用することのできる水耕栽培用具を提供することを目的とする。
【課題を解決するための手段】
【００１２】
本考案に係る水耕栽培用具は、容器に養液を貯留して行う植物の種子や球根などの対象物の水耕栽培に用いられる水耕栽培用具であって、上記対象物を位置させるための孔部を備えた養液に浮かぶ浮力体でなる、というものである。
【００１３】
この考案によると、養液に浮かべた浮力体が、浮力体の孔部に位置させた植物の種子や球根などの水耕栽培の対象物と共に養液の液位の変動に追従するので、養液の量が少なくなって液位が低下しても対象物が養液の上方に露出したりすることがなくなる。したがって、旅行などで世話ができないようなときには、大きな容器に溜めた養液に浮力体を浮かべておけば、容器に多くの養液が残っているにもかかわらず対象物が養液に浸かっていないという状況が生じなくなる。また、浮力体や養液を溜める容器などは容易に入手できるので、アボカドやライチといった植物を、家庭のキッチンの窓辺やベランダで観葉植物の１種として水耕栽培で手軽に育成することが可能になる。
【００１４】
本考案にあっては、浮力体の上記孔部に、この孔部に挿入された対象物を受け止める対象物受部が設けられている、という構成を採用することが可能である。この考案では、対象物受部に様々な構成のものを採用することができる。たとえば、上記対象物受部が、浮力体の上記孔部に一体に内向き突出状に装備されて切断加工が可能な突片でなる、という構成を採用することができ、これによると、浮力体に装備されている突片を切断加工してその出幅や形状を対象物の大きさ及び形状に合わせることにより、当該水耕栽培用具を様々な大きさの対象物に使用することができるようになる。また、上記対象物受部が、上記対象物を保持する保持部材を載置可能な内鍔状の段付部によって形成されている、という構成を採用することもでき、これによると、浮力体の孔部の大きさに比べて対象物が小さ過ぎるような場合でも、その対象物を保持させた保持部材を浮力体の内鍔状の段付部に載置することによって、対象物を安定して浮力体の孔部に位置させることが可能になる。
【００１５】
本考案においては、上記浮力体が２枚の環状の樹脂シートの内外の周縁に備わっている耳縁同士を熱溶着して形成されている環状の中空チューブでなる、という構成や、上記浮力体が、串状の軸体を突き刺し可能な中実部材でなる、という構成を採用することが可能である。上記の環状の中空チューブや串状の軸体を突き刺し可能な中実部材は安価にかつ容易に入手することができるので、アボカドやライチといった植物を、家庭のキッチンの窓辺やベランダで観葉植物の１種として水耕栽培で手軽に育成することが可能になる。
【考案の効果】
【００１６】
以上説明したように、本考案に係る水耕栽培用具によれば、旅行などで世話ができないようなときに養液を補給しなくても、容器に多くの養液が残っているにもかかわらず植物の種子や球根などの水耕栽培の対象物が養液に浸かっていないという状況の生じることを未然に回避することが可能になる。また、浮力体や養液を溜める容器などは容易にかつ安価に入手できるので、アボカドやライチといった植物を、家庭のキッチンの窓辺やベランダで観葉植物の１種として水耕栽培で手軽に育成するときに便利に使用することができる。
【図面の簡単な説明】
【００１７】
【図１】本考案の実施形態に係る水耕栽培用具の概略斜視図である。
【図２】同水耕栽培用具の垂直断面図である。
【図３】図２の一部を拡大して示した部分断面図である。
【図４】図１の水耕栽培用具の第１使用例を断面図で示した説明図である。
【図５】図１の水耕栽培用具の第２使用例を断面図で示した説明図である。
【図６】図１の水耕栽培用具の第２使用例を平面図で示した説明図である。
【図７】本考案の他の実施形態に係る水耕栽培用具の断面図である。
【図８】本考案のさらに他の実施形態に係る水耕栽培用具の断面図である。
【図９】図８の水耕栽培用具１００の他の使用例を断面図で示した説明図である。
【図１０】本考案のさらに他の実施形態に係る水耕栽培用具を例示した断面図である。
【図１１】本考案のさらに他の実施形態に係る水耕栽培用具の概略斜視図である。
【図１２】第１の従来例による初期状態での水耕栽培用具の使用状態を説明的に示した縦断正面図である。
【図１３】第２の従来例による初期状態での水耕栽培用具の使用状態を説明的に示した縦断正面図である。
【図１４】第２の従来例による植物が成育した状態での水耕栽培用具の使用状態を説明的に示した縦断正面図である。
【考案を実施するための形態】
【００１８】
図１は本考案の実施形態に係る水耕栽培用具の概略斜視図、図２は同水耕栽培用具の断面図、図３は図２の一部を拡大して示した部分断面図である。
【００１９】
図１に例示した水耕栽培用具１００は浮力体１０でなり、この浮力体１０は、植物の種子や球根などの対象物（図１〜図３において不図示）を位置させるための孔部２０を備えている。図２又は図３のように、図例の浮力体１０は、空気を閉じこめた状態で、２枚の円環状の樹脂シート１１、１１の内外の周縁に備わっている耳縁１２，１３同士を熱溶着することによって製作された環状の中空チューブでなる。このような浮力体１０には、外周径が９〜１０ｃｍ程度、内周径が３〜４ｃｍ程度のものを好適に用いることが可能であり、この程度のサイズの環状の中空チューブでなる浮力体１０であると、丸くて大きなアボガドの種子のような対象物を水耕栽培するのに適し、しかも、このような環状の中空チューブであれば容易にかつ安価に製造することができる。浮力体１０において、平面視形状については円環状に限定されることはなく、環状であれば、たとえば偏平な楕円形や長円形、さらには矩形や三角形であってもよい。
【００２０】
図４は図１の水耕栽培用具の第１使用例を断面図で示した説明図である。水耕栽培を行うときには、図４のように、アボガドの種子のような丸くて大きな対象物５０を、容器（不図示）に貯留している養液６０に浮かべた浮力体１０の孔部２０に挿入して位置させる。この場合において、対象物５０の大きさが浮力体１０の孔部２０のサイズに比べて比較的小さいときには、浮力体１０の孔部２０に挿入された対象物５０が、実線で示したように、上記した２枚の円環状の樹脂シート１１、１１の内側の耳縁１３により支えられて位置決めされるのに対して、対象物５０の大きさが浮力体１０の孔部２０のサイズに比べて比較的大きいときには、浮力体１０の孔部２０に挿入された対象物５０が、仮想線で示したように、浮力体１０内側周面１４により支えられて位置決めされる。ここで説明した第１使用例では、対象物５０の大きさに応じて、浮力体１０の内側の耳縁１３や浮力体１０内側周面１４が、浮力体１０の孔部２０に挿入された対象物５０を受け止める対象物受部１５として作用している。
【００２１】
図４の第１使用例によると、浮力体１０の孔部２０に位置している対象物５０が、浮力体１０の耳縁１３でなる対象物受部１５又は内側周面１４により養液６０に浸かる位置で支えられたまま、浮力体１０と共に養液６０の水位の変動に追従するようになるので、養液６０の量が少なくなって水位が低下しても、対象物５０が養液６０の上方に露出したりすることがなくなる。養液６０を貯留する容器には、ガラスコップや陶器などの小形容器のほか、バケツなどの大形容器を使うことができ、特に、大形容器を使うと、多くの養液６０を予め貯留させておくことができるので、旅行などで世話ができないようなときに、容器に多くの養液６０が残っているにもかかわらず対象物５０が養液６０に浸かっていないという状況が生じなくなる。また、養液６０には水を使用できるけれども、必要に応じて、植物育成に必要な養分を含む液を使用することもできる。
【００２２】
図５は図１の水耕栽培用具の第２使用例を断面図で示した説明図、図６は図１の水耕栽培用具の第２使用例を平面図で示した説明図である。図５及び図６に示した第２使用例では、対象物５０が孔部２０よりも極めて小さく、耳縁１３でなる対象物受部１５によっても支えられず位置決めできないほど小さい場合に、対象物５０に突き刺した爪楊枝のような複数本（たとえば３本）の串状の軸体５１を対象物５０の周囲に突き出させた状態で、それらの軸体５１を、養液６０に浮かべられた浮力体１０に乗せ掛けることによって浮力体１０の孔部２０に位置させている。この第２使用例によっても、軸体５１を介して浮力体１０により養液６０に浸かる位置で支えられた対象物５０が、養液６０に浸かる位置で支えられたまま浮力体１０と共に養液６０の水位の変動に追従するようになるので、養液６０の量が少なくなって水位が低下しても、対象物５０が養液６０の上方に露出したりすることがなくなる。養液６０を貯留容器に、ガラスコップや陶器などの小形容器のほか、バケツなどの大形容器を使うことができる点、養液６０に水を使用することができる点などは、図４を参照して説明したところと同様である。
【００２３】
図７は本考案の他の実施形態に係る水耕栽培用具１００の例示した断面図である。この水耕栽培用具１００では、上記した浮力体１０の内側の耳縁１３を幅広に形成してあると共に、この幅広の耳縁１３によって、浮力体１０の孔部２０に一体に内向き突出状に装備された切断加工が可能な環状の突片１６を構成している。この突片１６は、浮力体１０の孔部２０に挿入された対象物を受け止める対象物受部１５としての役割を備えている。この実施形態によると、環状の突片１６をカッターや鋏を用いて容易に切断加工することができるので、対象物の大きさや形状に合わせて、たとえば図７に仮想線イで示した箇所で突片２３を切断加工することにより、浮力体１０の内側周面１４からの出幅Ｌを調節することができ、そのような出幅調節を行うことにより、大きさの異なる対象物を対象物受部１５によって安定して位置させることが可能になる。この実施形態によっても、浮力体１０により養液６０に浸かる位置で支えられた対象物５０が、養液６０に浸かる位置で支えられたまま、浮力体１０と共に養液６０の水位の変動に追従するようになるので、養液６０の量が少なくなって水位が低下しても、対象物５０が養液６０の上方に露出したりすることがなくなる。養液６０を貯留した容器に、ガラスコップや陶器などの小形容器のほか、バケツなどの大形容器を使うことができる点、養液６０に水を使用することができる点などは、図４を参照して説明したところと同様である。
【００２４】
図８は本考案のさらに他の実施形態に係る水耕栽培用具１００を例示した断面図である。この実施形態では、浮力体１０を環状の発泡樹脂成形体（たとえば、発泡スチロール成形体）やバルサ材といった環状の中実部材によって形成している。そして、環状の中実部材でなる浮力体１０の孔部２０の内周下部の壁を内側に向けて段付き状に膨らみ出させることによって形成された環状の段付部１７を具備させ、この段付部１７によって、上記した対象物受部１５を形成している。これによると、使用状態では、仮想線で示したように、孔部２０に挿入された対象物５０が、段付部１７によって形成された対象物受部１５によって受け止められる。また、対象物受部１５を、浮力体１０の孔部２０の内周中央部に設けることもできる。
【００２５】
図９は図８の水耕栽培用具１００の他の使用例を断面図で示した説明図である。この使用例では、段付部１７によって形成されている対象物受部１５に、仮想線で示したように、対象物５０を載置して保持させたリング状の保持部材１８を載置している。これによると、浮力体１０の孔部２０の大きさに比べて対象物５０が小さすぎるような場合でも、その対象物５０を浮力体１０の孔部２０に安定して位置させることができる。
【００２６】
図１０は本考案のさらに他の実施形態に係る水耕栽培用具１００を例示した断面図である。この実施形態においても、浮力体１０を環状の発泡樹脂成形体（たとえば、発泡スチロール成形体）やバルサ材といった環状の中実部材によって形成している。この水耕栽培用具１００によると、図示したように、浮力体１０に複数本の串状の軸体５１を突き刺して、それらの軸体５１を孔部２０の内側に向けて突出させておき、仮想線で示したように、対象物５０を、浮力体１０に突き刺した複数本の軸体５１に乗せ掛けて孔部２０に位置させることが可能である。
【００２７】
図１１は本考案のさらに他の実施形態に係る水耕栽培用具１００の概略斜視図である。この実施形態では、浮力体１０が板状に形成されていて、その複数箇所に孔部２０が設けられている。これによると、１つの水耕栽培用具１００を用いて複数個の対象物を育成することが可能になる。
【００２８】
図７〜図１１を参照して説明した水耕栽培用具１００によっても、上記したように、浮力体１０により養液６０に浸かる位置で支えられた対象物５０が、養液６０に浸かる位置で支えられたまま、浮力体１０と共に養液６０の水位の変動に追従するようになるので、養液６０の量が少なくなって水位が低下しても、対象物５０が養液６０の上方に露出したりすることがなくなる。養液６０を貯留する容器に、ガラスコップや陶器などの小形容器のほか、バケツなどの大形容器を使うことができる点、養液６０に水を使用することができる点などは、図４を参照して説明したところと同様である。さらに、図７〜図１０に示した浮力体１０において、その外周径や内周径は、図１を参照して説明した浮力体１０の外周径や内周径と同等程度に定めておくことが望ましい。また、平面視形状については円環状に限定されることはなく、環状であれば、たとえば偏平な楕円形や長円形、さらには矩形や三角形であってもよい。また、図８〜図１０に示した浮力体１０において、断面形状は正円形に限定されることはなく、たとえば偏平な楕円形や長円形、さらには矩形や三角形の断面形状であってもよい。
【００２９】
以上の説明では、水耕栽培の対象物５０として、アボガドの種子を例示したけれども、本考案に係る水耕栽培用具１００を用いて水耕栽培を行うことのできる対象物５０には、アボガドの種子のほか、ライチの種子やパイナップルの葉、スイセンやヒヤシンスなどの球根類、サボテンなどの多肉植物、などを挙げることができる。また、養液には、水のほか、必要な養分を含んだ養液を使用することが可能である。
【００３０】
なお、図１〜図１１において、同一又は相応する部分又は要素に同一の符号を付している。
【符号の説明】
【００３１】
１０  浮力体
１５  対象物受部
１６  突片
１７  段付部
２０  孔部
５０  対象物
５１  軸体
６０  養液
１００  水耕栽培用具
【図１】
0003224252.tif 000003
【図２】
0003224252.tif 000004
【図３】
0003224252.tif 000005
【図４】
0003224252.tif 000006
【図５】
0003224252.tif 000007
【図６】
0003224252.tif 000008
【図７】
0003224252.tif 000009
【図８】
0003224252.tif 000010
【図９】
0003224252.tif 000011
【図１０】
0003224252.tif 000012
【図１１】
0003224252.tif 000013
【図１２】
0003224252.tif 000014
【図１３】
0003224252.tif 000015
【図１４】
0003224252.tif 000016